(57)【要約】【課題】主ケーブルの径が小さくてメインクランプのベルト部の曲率が大きくなった場合でも、このベルト部に対するロック部材のロックを安定した状態に保つ。【解決手段】主ケーブルに取り付けられるメインクランプに、従ケーブルに取り付けられるサブクランプを結合して主ケーブルに従ケーブルを併設するベルトクランプであって、メインクランプのベルト部１６に取り付けられるロック部材３０と、サブクランプに一体的に設けられ、ロック部材３０に結合可能な保持部２４とを備えている。ロック部材３０は、可撓部３３とメインクランプのベルト部１６の歯に係合可能なロック爪３８とを有する。保持部２４は、この保持部がロック部材３０に結合されたときに可撓部３３を押し撓める押圧部２５ａを有する。この可撓部が押し撓められたとき、ロック爪３８をメインクランプのベルト部１６の歯に強制的に食い込ませる。【選択図】        図９
2007166733.tif 000002
【特許請求の範囲】
【請求項１】
主ケーブルに取り付けられるメインクランプのベルト部に、従ケーブルに取り付けられるサブクランプを結合することにより、主ケーブルに従ケーブルを併設可能としたベルトクランプであって、
メインクランプのベルト部に対し、その長さ方向へ移動可能に取り付けられるロック部材と、サブクランプに一体的に設けられ、かつ、ロック部材に対して結合可能な保持部とを備え、ロック部材は、弾性によって撓むように構成された可撓部と、この可撓部に設けられ、メインクランプにおけるベルト部の歯に係合可能で、この係合によって該ベルト部の長さ方向へのロック部材の移動をロックすることが可能なロック爪とを有し、保持部は、この保持部がロック部材に結合されたときに、ロック部材の可撓部に当たって該可撓部を押し撓めるように機能する押圧部を有し、押圧部によって可撓部が押し撓められたとき、ロック爪をメインクランプにおけるベルト部の歯に対して強制的に食い込ませるように構成されているベルトクランプ。
【請求項２】
請求項１に記載されたベルトクランプであって、
保持部は、サブクランプのバックル部に隣接して設けられ、このバックル部と保持部とを分ける隔壁の端面に押圧部が設けられているベルトクランプ。
【発明の詳細な説明】
【技術分野】
【０００１】
本発明は、単線やワイヤハーネスなどの主ケーブルに、別のワイヤハーネスなどの従ケーブルを併設するためのベルトクランプに関する。
【背景技術】
【０００２】
この種のベルトクランプについては、つぎのような技術が本出願人によって既に出願されている。すなわち、主ケーブルに取り付けられるメインクランプのベルト部に対し、その長さ方向へ移動可能に取り付けられるロック部材と、主ケーブルに取り付けられるサブクランプに形成された保持部とを備え、この保持部をロック部材に結合することが可能である。そして、ロック部材には、メインクランプにおけるベルト部の歯に係合可能なロック爪が設けられ、このベルト部の歯に対するロック爪の係合によってロック部材の移動がロックされる。したがって、主ケーブル外周の任意の位置に従ケーブルを併設することができる。ただし、この技術は現時点において未公開である。
なお、ベルトクランプに関する一般的な構成は、例えば特許文献１に開示されている技術が公知である。
【特許文献１】特開2003-028111号公報
【発明の開示】
【発明が解決しようとする課題】
【０００３】
前記の先行技術においては、主ケーブルが細い単線などの場合、その外周に取り付けられるメインクランプのベルト部が大きく曲がり、このベルト部の歯に対するロック爪の係合代が小さくなる。この結果、メインクランプのベルト部に対してロック部材が移動し易く、主ケーブルに対する従ケーブルの併設位置が不安定となる。
【０００４】
本発明は、このような課題を解決しようとするもので、その目的は、主ケーブルの径が小さくてメインクランプのベルト部の曲率が大きくなった場合でも、このベルト部に対するロック部材のロックを安定した状態に保つことである。
【課題を解決するための手段】
【０００５】
本発明は、上記の目的を達成するためのもので、以下のように構成されている。
請求項１に記載の発明は、主ケーブルに取り付けられるメインクランプのベルト部に、従ケーブルに取り付けられるサブクランプを結合することにより、主ケーブルに従ケーブルを併設可能としたベルトクランプであって、メインクランプのベルト部に対し、その長さ方向へ移動可能に取り付けられるロック部材と、サブクランプに一体的に設けられ、かつ、ロック部材に対して結合可能な保持部とを備えている。ロック部材は、弾性によって撓むように構成された可撓部と、この可撓部に設けられ、メインクランプにおけるベルト部の歯に係合可能で、この係合によって該ベルト部の長さ方向へのロック部材の移動をロックすることが可能なロック爪とを有する。保持部は、この保持部がロック部材に結合されたときに、ロック部材の可撓部に当たって該可撓部を押し撓めるように機能する押圧部を有する。そして、押圧部によって可撓部が押し撓められたとき、ロック爪をメインクランプにおけるベルト部の歯に対して強制的に食い込ませるように構成されている。
【０００６】
この構成によれば、メインクランプのベルト部に取り付けられたロック部材に、サブクランプの保持部を結合することにより、メインクランプにおけるベルト部の歯に対するロック部材のロック爪の係合状態が強められる。これにより、主ケーブルの径が小さくてメインクランプのベルト部の曲率が大きくなった場合でも、このベルト部に対するロック部材のロックが安定する。
【０００７】
請求項２に記載の発明は、請求項１に記載されたベルトクランプであって、保持部は、サブクランプのバックル部に隣接して設けられ、このバックル部と保持部とを分ける隔壁の端面に押圧部が設けられている。
これにより、サブクランプの構造が簡素化され、ベルトクランプとしての基本的な構造を大きく変えることなく、ロック部材との結合に対応できる。
【発明を実施するための最良の形態】
【０００８】
以下、本発明を実施するための最良の形態を、図面を用いて説明する。
図１は、二種類のクランプを組み合わせた状態を表した斜視図である。この図面で示すように、本発明のベルトクランプは、メインクランプ１０とサブクランプ２０とを組み合わせて使用することが可能となっている。両クランプ１０，２０の構成を大別すると、個々にバックル部１２，２２とベルト部１６，２６とを備えている。そして、両クランプ１０，２０は、それぞれ合成樹脂材による一体成形品であって、バックル部１２，２２の一側部に所定の長さをもつベルト部１６，２６の基端部が結合されている。
【０００９】
メインクランプ１０のバックル部１２は、図１の下側からベルト部１６を挿通させることが可能である。また、バックル部１２は、ベルト部１６が結合されている箇所の反対側部において係止脚１４およびスタビライザ１５を備えている。一方、ベルト部１６の片側面には、その長さ方向に沿って歯列１７が一定ピッチで形成されている。そこで、ベルト部１６を、バックル部１２に挿通させて引き締めることにより、このバックル部１２内に位置している係合爪（図示省略）に、歯列１７のうちの幾つか（二個以上）が係合する。これにより、ベルト部１６はその引き締め位置でバックル部１２側にロックされる。
【００１０】
図２は、サブクランプ２０の一部を拡大して表した斜視図である。図３は、サブクランプ２０の一部を表した縦断面図である。図４は、図２の上下を反転させた状態を表した斜視図である。サブクランプ２０のバックル部２２においても、そのベルト部２６を挿通させることが可能なベルト挿入部分２２ａを備え、このベルト挿入部分２２ａの内部には係合爪２２ｂが設けられている（図３）。また、ベルト部２６の片側面には、その長さ方向に沿って歯列２７が一定ピッチで形成されている（図１）。このベルト部２６を、ベルト挿入部分２２ａに対して図３の上側から挿通させて引き締めることにより、歯列２７のうちの幾つかが係合爪２２ｂに係合し、メインクランプ１０の場合と同様にベルト部２６がその引き締め位置でバックル部２２側にロックされる。
【００１１】
サブクランプ２０のバックル部２２は、ベルト部２６が結合されている箇所の反対側において保持部２４を備えている。この保持部２４には、図面の上下方向に貫通した挿入部分２４ａがある。この挿入部分２４ａは、つぎに説明するロック部材３０の結合部３４を挿入することが可能な形状に設定されている。図３で示されているように、バックル部２２のベルト挿入部分２２ａと、保持部２４の挿入部分２４ａとの境に位置する隔壁２５の下端部（図４では上端部）は、保持部２４の他の下端面よりも突出した押圧部２５ａとなっている。
【００１２】
また、挿入部分２４ａの内壁には、係合突起２４ｂが設けられている（図３）。この係合突起２４ｂは、可撓壁２４ｃに形成されている。この可撓壁２４ｃは、挿入部分２４ａを構成する壁の一部を、その両側に位置する一対のスリットにより、基部を残して分離させた構成になっている（図２）。これにより、可撓壁２４ｃは係合突起２４ｂと共に保持部２４の外側方向へ樹脂材の弾性によって撓ませることが可能である。
【００１３】
図５は、ロック部材３０を表した斜視図である。図６は、ロック部材３０を表した平面図である。図７は、ロック部材３０を表した側面図である。図８は、ロック部材３０を表した縦断面図である。これらの図面で示すように、ロック部材３０の構成は、座部３２と結合部３４とに大別される。結合部３４は、座部３２の上面から立ち上がった格好に位置しており、中央壁３４ａとその両サイドの側壁３４ｃとによって構成されている。これらの中央壁３４ａおよび両側壁３４ｃの先端部は、サブクランプ２０における保持部２４の挿入部分２４ａに対する結合部３４の挿入を円滑にするために斜面となっている（図７，８）。また、中央壁３４ａには、挿入部分２４ａの内壁に設けられた係合突起２４ｂと係合可能な係合孔３４ｂが設けられている。
【００１４】
ロック部材３０における座部３２の中央部分は、可撓部３３となっている。この可撓部３３は、その両側に位置する一対のスリットにより、基部を残して分離させた構成となっている。これにより、可撓部３３は樹脂材の弾性によって図面の上下方向へ撓むことが可能である。座部３２の下面側には、メインクランプ１０のベルト部１６を挿通させるためのベルト挿通部３６が構成されている。すなわち、このベルト挿通部３６は、座部３２の下面から突出させた一対の支承部３７を有し、これらの支承部分３６ａの先端は、それぞれ内方に向かって曲がってベルト部１６を下側から支持できるようになっている。また、ベルト挿通部３６内における可撓部３３の下面には、ベルト部１６の歯列１７の一つの歯と係合可能なロック爪３８が設けられている。
【００１５】
つづいて、メインクランプ１０とサブクランプ２０とによって二種類のケーブル（ワイヤハーネス）を併設する手順について説明する。
まず、メインクランプ１０にロック部材３０を結合すべく、メインクランプ１０のベルト部１６を、その歯列１７を上面にしてロック部材３０のベルト挿通部３６に挿通させる。これにより、歯列１７の一つがベルト挿通部３６内のロック爪３８に係合し、ベルト部１６に対してロック部材３０がロックされる。ただし、可撓部３３を上方向へ撓ませることにより、歯列１７の一つに対するロック爪３８の係合を外すことができる。したがって、この状態においてロック部材３０をベルト部１６に沿って任意の位置にスライドさせることができ、その位置においてベルト部１６とロック部材３０とをロックさせることができる。
【００１６】
つぎに、サブクランプ２０の保持部２４とロック部材３０の結合部３４とを結合する。図９は、この結合状態を表した断面図である。この図面で示すように、保持部２４の挿入部分２４ａに対し、図面の下側から結合部３４が挿入されている。この挿入により、挿入部分２４ａ内の係合突起２４ｂが結合部３４の係合孔３４ｂに係合する。このため、保持部２４と結合部３４とが抜け止め状態に保持され、保持部２４とロック部材３０とが互いに結合される。この状態では、保持部２４における隔壁２５下端の押圧部２５ａがロック部材３０の可撓部３３に押し付けられおり、この可撓部３３が図９の下方向へ押し撓められている。これにより、ロック爪３８をベルト部１６の歯列１７の一つに対して強制的に食い込ませることができ、互いの係合状態が強められる。
【００１７】
なお、ベルト部１６に対するロック部材３０の位置を変更したい場合は、ロック部材３０からサブクランプ２０の保持部２４を取り外した後、既に述べたようにロック部材３０の可撓部３３を上方向へ撓ませて歯列１７とロック爪３８との係合（ロック）を解除すればよい。ロック部材３０から保持部２４を取り外すには、保持部２４の可撓壁２４ｃを外方向へ撓ませて、係合突起２４ｂと結合部３４の係合孔３４ｂとの係合を外す。
【００１８】
図１０は、大径の主ケーブルに従ケーブルを併設した状態を表した説明図である。図１１は、小径の主ケーブルに従ケーブルを併設した状態を表した説明図である。これらの図面で示すように、メインクランプ１０は、そのベルト部１６をワイヤハーネス４０（主ケーブル）の外周にループ状に巻き付け、かつ、このベルト部１６をバックル部１２に挿通させて引き締める。これにより、すでに説明したようにベルト部１６はその引き締め位置でバックル部１２側にロックされる。一方、サブクランプ２０のベルト部２６は、別のワイヤハーネス４１（従ケーブル）の外周にループ状に巻き付け、バックル部２２のベルト挿入部分２２ａに挿通させて引き締める。これによってベルト部２６がその引き締め位置でバックル部２２側にロックされる。
【００１９】
サブクランプ２０の保持部２４は、メインクランプ１０のベルト部１６に対してロック部材３０を通じて結合されているので、図１０，１１で示すように主ケーブルであるワイヤハーネス４０に従ケーブルであるワイヤハーネス４１が併設される。なお、メインクランプ１０の係止脚１４は、車体などのプレート５０に開けられている取付け孔５１に差し込まれ（図１０）、それによって両ワイヤハーネス４０，４１がプレート５０に対して共に位置決めされる。
【００２０】
なお、主ケーブルであるワイヤハーネス４０に従ケーブルであるワイヤハーネス４１を併設するための作業手順としては、メインクランプ１０およびサブクランプ２０を個々のワイヤハーネス４０，４１の外周に取り付けた後、それぞれのクランプ１０，２０を結合するのが現実的である。すなわち、メインクランプ１０のベルト部１６をロック部材３０のベルト挿通部３６に挿通させた状態で、このメインクランプ１０をワイヤハーネス４０の外周に取り付ける。そして、ベルト部１６に対するロック部材３０の位置を調整し、最後にワイヤハーネス４１の外周に取り付けられたサブクランプ２０の保持部２４とロック部材３０とを結合する。
【００２１】
図１１で示すように、主ケーブルであるワイヤハーネス４０の径が小さい場合、メインクランプ１０におけるベルト部１６の曲率が大きく、その歯列１７からロック部材３０のロック爪３８が外れやすい。しかしながら、既に述べたようにロック部材３０の結合部３４にサブクランプ２０の保持部２４が結合された状態では、保持部２４の押圧部２５ａがロック部材３０の可撓部３３を下方向へ押し撓め、ロック爪３８をベルト部１６の歯列１７の一つに対して強制的に食い込ませる。このため、歯列１７とロック爪３８との係合状態が強められ、ベルト部１６の曲率が大きい場合でも、このベルト部１６とロック部材３０とのロック状態が安定する。
【図面の簡単な説明】
【００２２】
【図１】二種類のクランプを組み合わせた状態を表した斜視図
【図２】サブクランプ２０の一部を拡大して表した斜視図
【図３】サブクランプ２０の一部を表した縦断面図
【図４】図２の上下を反転させた状態を表した斜視図
【図５】ロック部材を表した斜視図
【図６】ロック部材を表した平面図
【図７】ロック部材を表した側面図
【図８】ロック部材を表した縦断面図
【図９】サブクランプの保持部とロック部材との結合状態を表した断面図
【図１０】大径の主ケーブルに従ケーブルを併設した状態を表した説明図
【図１１】小径の主ケーブルに従ケーブルを併設した状態を表した説明図
【符号の説明】
【００２３】
１０ メインクランプ
１６ ベルト部
１７ 歯列
２０ サブクランプ
２４ 保持部
２５ａ      押圧部
３０ ロック部材
３３ 可撓部
３８ ロック爪
４０ ワイヤハーネス（主ケーブル）
４１ ワイヤハーネス（従ケーブル）
【図１】
2007166733.tif 000003
【図２】
2007166733.tif 000004
【図３】
2007166733.tif 000005
【図４】
2007166733.tif 000006
【図５】
2007166733.tif 000007
【図６】
2007166733.tif 000008
【図７】
2007166733.tif 000009
【図８】
2007166733.tif 000010
【図９】
2007166733.tif 000011
【図１０】
2007166733.tif 000012
【図１１】
2007166733.tif 000013